(57)【要約】  作用領域の磁性粒子に影響を与え及び／又は磁性粒子を検出する機構及び方法が開示される。機構は、低い磁界強度を有する第１のサブゾーン３０１及びより高い磁界強度を有する第２のサブゾーン３０２が作用領域３００に形成されるような、磁界強度の空間パターンを有する選択磁界２１１を生成する選択手段２１０と、磁性粒子１００の磁化が局所的に変化するように、駆動磁界２２１によって作用領域３００における２つのサブゾーン３０１、３０２の空間位置を変化させる駆動手段２２０と、第１及び第２のサブゾーン３０１、３０２の空間位置の変化によって影響を与えられる作用領域３００の磁化に依存する信号を取得する受信手段２３０と、第１の動作モードにおいて、２つのサブゾーンの空間位置が第１の周波数で変化され、第２の動作モードにおいて、２つのサブゾーンの空間位置が第１の周波数の少なくとも２倍の高さの第２の周波数で変化されるように、駆動手段及び／又は選択手段及び／又は受信手段を制御する制御ユニット１１と、を有する。@@@@@@end 2
2011505952.tif 000002
【特許請求の範囲】
【請求項１】
作用領域における磁性粒子に影響を与え及び／又は前記磁性粒子を検出する機構であって、
低い磁界強度を有する第１のサブゾーン及びより高い磁界強度を有する第２のサブゾーンが前記作用領域に形成されるような、磁界強度の空間パターンを有する選択磁界を生成する選択手段と、
前記磁性粒子の磁化が局所的に変化するように、駆動磁界によって前記作用領域における前記２つのサブゾーンの空間位置を変化させる駆動手段と、
前記第１及び前記第２のサブゾーンの前記空間位置の前記変化によって影響を与えられる前記作用領域における磁化に依存する信号を取得する受信手段と、
第１の動作モードにおいて、前記２つのサブゾーンの前記空間位置が第１の周波数で変化され、第２の動作モードにおいて、前記２つのサブゾーンの前記空間位置が前記第１の周波数の少なくとも２倍の高さである第２の周波数で変化されるように、前記駆動手段及び／又は前記選択手段及び／又は前記受信手段を制御する制御ユニットと、
を有する機構。
【請求項２】
前記駆動手段は、少なくとも第１のコイル機構を有し、前記第１のコイル機構は、前記第１の動作モードにおいて第１の電流を供給され、前記第１のコイル機構は、前記第２の動作モードにおいて第２の電流を供給される、請求項１に記載の機構。
【請求項３】
共振回路を更に有し、前記共振回路は、前記第１のコイル機構に前記第２の電流を供給するために前記第２の動作モードにおいてオンにされる、請求項２に記載の機構。
【請求項４】
前記駆動手段は、少なくとも第１のコイル機構及び第２のコイル機構を有し、前記第１のコイル機構は、前記第１の動作モードにおいて電流を供給され、前記第２のコイル機構は、前記第２の動作モードにおいて電流を供給される、請求項１に記載の機構。
【請求項５】
前記第１の動作モードと前記第２の動作モードとの間の切り替えを行うスイッチを更に有する、請求項１に記載の機構。
【請求項６】
前記受信手段は、前記第２の動作モードにおいてフィードバックモードで使用される受信コイルを有する、請求項１に記載の機構。
【請求項７】
前記受信コイルは、前記作用領域に送信される効果的なパワーを評価するように構成される、請求項６に記載の機構。
【請求項８】
前記第２の周波数は、前記第１の周波数の少なくとも４倍の高さであり、好適には、前記第１の周波数の約１６倍の高さである、請求項１に記載の機構。
【請求項９】
前記選択手段は、その方向を逆にするとともに前記第１のサブゾーンにゼロ交差をもつ勾配磁界を生成する勾配コイル機構を有する、請求項１に記載の機構。
【請求項１０】
前記作用領域における前記２つのサブゾーンは、前記勾配磁界に重ねられる時間的に可変な磁界によって位置をシフトされる、請求項１に記載の機構。
【請求項１１】
作用領域における磁性粒子に影響を与え及び／又は前記磁性粒子を検出する方法であって、
低い磁界強度を有する第１のサブゾーン及びより高い磁界強度を有する第２のサブゾーンが前記作用領域に形成されるような、磁界強度の空間パターンを有する選択磁界を生成するステップと、
前記作用領域における磁性粒子の磁化が局所的に変化するように、駆動磁界によって第１の周波数で前記作用領域における前記２つのサブゾーンの空間位置を変化させるステップと、
前記第１及び前記第２のサブゾーンの前記空間位置の前記変化によって影響を与えられる前記作用領域における磁化に依存する信号を取得するステップと、
前記作用領域における前記磁性粒子の空間分布に関する情報を得るために前記信号を解析するステップと、
前記作用領域の少なくとも一部である加熱領域を規定するステップと、
前記第１の周波数の少なくとも２倍の高さである第２の周波数で、前記作用領域における前記２つのサブゾーンの前記空間位置を変化させるステップと、
を含む方法。
【発明の詳細な説明】
【技術分野】
【０００１】
本発明は、作用領域における磁性粒子に影響を与え及び／又は磁性粒子を検出する機構に関する。更に、本発明は、作用領域における磁性粒子に影響を与え及び／又は磁性粒子を検出する方法に関する。
【背景技術】
【０００２】
この種の機構及び方法は、国際公開第２００４／０９１３９３Ａ１号パンフレットから知られている。相対的に低い磁界強度を有する第１のサブゾーン及び相対的に高い磁界強度を有する第２のサブゾーンが検査ゾーンに形成されるような磁界強度の空間分布を有する磁界が生成される。検査ゾーンにおけるサブゾーンの空間位置がシフトされ、それにより、検査ゾーンにおける粒子の磁化が局所的に変化する。サブゾーンの空間位置のシフトによって影響を与えられた検査ゾーンにおける磁化に依存する信号が、記録され、検査ゾーンにおける磁性粒子の空間分布に関する情報が、これらの信号から抽出され、それにより、検査ゾーンの画像が形成されることができる。このような機構及びこのような方法は、いかなるダメージも引き起こさず、高い空間解像度を伴って、非破壊的なやり方で例えば人間の身体のような任意の検査対象を、検査対象の表面の近く及び遠くの両方について、検査するために使用されることができるという利点を有する。更に、磁性粒子は、磁性の又は磁化可能な物質の磁化の変化によって、特に医用温熱治療において、周囲領域を加熱するために使用される。局所的にターゲット領域を加熱するために、磁性粒子が飽和しない低い磁界強度を有する第１のサブゾーン及びより高い磁界強度を有する第２のサブゾーンがターゲット領域に生成されるような、磁界強度の空間パターンを有する不均一な磁界が生成される。粒子が磁化の頻繁な変化により所望の温度まで加熱するに十分長い時間、ターゲット領域の２つのサブゾーンの空間位置が変化される。
【発明の概要】
【発明が解決しようとする課題】
【０００３】
本発明の方法は、組み合わせられた温熱治療及び磁性粒子イメージング（ＭＰＩ）のための改良された装置及びより効果的な方法を提供することである。
【課題を解決するための手段】
【０００４】
上述の目的は、作用領域における磁性粒子に影響を与え及び／又は磁性粒子を検出する機構であって、
−低い磁界強度を有する第１のサブゾーン及びより高い磁界強度を有する第２のサブゾーンが作用領域に形成されるような、磁界強度の空間パターンを有する選択磁界を生成する選択手段と、
−磁性粒子の磁化が局所的に変化するように、駆動磁界によって作用領域における２つのサブゾーンの空間位置を変化させる駆動手段と、
−第１及び第２のサブゾーンの空間位置の変化によって影響を与えられる作用領域の磁化に依存する信号を取得する受信手段と、
−第１の動作モードにおいて、２つのサブゾーンの位置が第１の周波数で変化され、第２の動作モードにおいて、２つのサブゾーンの空間位置が第１の周波数の少なくとも２倍の高さである第２の周波数で変化されるように、駆動手段及び／又は選択手段及び／又は受信手段を制御する制御ユニットと、
を有する機構によって達成される。
【０００５】
第１の動作モードにおいて、第１の周波数は、磁性粒子イメージング（ＭＰＩ）のために使用される基本周波数にセットされることができ、基本周波数は、今日、例えば特に患者に関してノイズによる不快感を防ぐために可聴の周波数レンジにより制限されるかなり小さいウィンドウにおいて、約２５ｋＨｚであることが機構の利点である。第２の動作モードにおいて、温熱治療は、特にＭＰＩスキャニングのための基本周波数より故意に高い周波数である第２の周波数で、より効果的に有利に実行される。増大された効果は、有利には、例えば治療されることができる腫瘍のより大きいサイズ、適用される必要がある磁性粒子の最小限の（局所的な）量又は低減された治療時間のような、より成功する温熱治療をもたらす。治療時間の低減は、例えば、患者の免疫系が介入可能であるとともに、意図されたロケーションから磁性粒子を少なくとも部分的に除去させることを防ぐ。更に、ＭＰＩは、温熱治療による局所的な加熱を提供しそれを集束させるために、有利に適用できる。選択磁界は、加熱が局在化される磁界のないポイントを規定する。更に、磁性粒子の存在は、第２の動作モードにおける温熱治療の前及び／又はその間及び／又はその後に、第１の動作モードにおいて有利にイメージングされる（監視される）ことができる。有利には、ＭＰＩ及び温熱治療のために必要な磁界の振幅は同等である。
【０００６】
本発明による機構において、低い磁界強度の第１のサブゾーン及びより高い磁界強度の第２のサブゾーンを有する空間的に不均一な磁界が、磁性粒子が位置する作用領域に生成される。駆動手段によって、２つのサブゾーンの空間位置が変化されることができる。不均一な磁界の生成及びサブゾーンの位置の変化は、例えば国際公開第２００４／０９１３９３号パンフレットから知られており、詳しくは記述されない。好適には、第１の動作モードにおいて、空間位置の変化によって生成される磁性粒子からの信号が取得され、粒子の空間分布に関する情報が、それらの信号から得られる。更に好適には、第２の動作モードにおいて、作用領域の少なくとも一部である加熱領域が、第２の周波数での空間位置の変化によって加熱される。従って、有利には、対象が対象内に位置する磁性粒子の空間分布に関して検査されること（第１の動作モード）及び対象の一部が加熱されること（第２の動作モード）の双方が可能である。この例において、機構のさまざまな手段又は構成要素の少なくとも一部が、好適には、両方の動作モードについて使用されることができ、従って、有利には、ほんのわずかな付加の構成要素のみが、それぞれ異なる動作モードで機構を動作するために必要とされる。更に、好適には、それぞれ異なる動作モードは、制御ユニットが個々のケースにおいて異なって既存の構成要素を制御することによって達成される。
【０００７】
有利には、機構は、機構の手段又は構成要素に対する作用領域の空間位置が変更されることなく、磁性粒子が、異なる動作モードの最中同じ１つの作用領域において影響を与えられることを可能にする。具体的には、第１のステップにおいて、対象内の磁性粒子の空間分布が、例えば第１の動作モードにおいて（例えば画像の形式で）決定されることができる。加熱領域は、分布に関するこの情報から有利に決定されることができる。第２のステップにおいて、事前に規定された対象の加熱領域が、好適には、第２の動作モードにおいて加熱される。この場合、計画において使用された磁性粒子の分布に関する空間情報が、加熱領域を決定するために直接使用されることができるので、この加熱は、有利に高い空間精度を伴って行われることができる。これは、機構の同じ構成要素が、両方のステップにおいて少なくとも部分的に使用され、対象が、構成要素、作用領域又は加熱領域に関してその位置を変更する必要がないので、可能である。
【０００８】
本発明の好適な実施形態による機構の利用分野は、第３の動作モードにおいて、第１及び第２の動作モードを交互に又は同時に実施することによって、有利に拡張されることができる。第３の動作モードにおいて、例えば作用領域の一部が加熱されることができ、磁性粒子の空間位置に関する情報が同時に得られることができる。これは、２つのサブゾーンの空間位置が加熱中も変化され、その結果、磁性粒子の空間分布に関する情報が信号から得られることができる該信号が、第１の動作モードと同様に磁性粒子によって生成されるので、可能である。
【０００９】
本発明の好適な実施形態によれば、駆動手段は、少なくとも第１のコイル機構を有し、第１のコイル機構は、第１の動作モードにおいて第１の電流を供給され、第１のコイル機構は、第２の動作モードにおいて第２の電流を供給される。第２の電流は、好適には、第１の（ＡＣ）電流よりそれぞれ高い周波数を含む交流である。構成要素の数が必要最小限に限られることが、この実施形態の利点である。より好適には、機構は、共振回路を有し、共振回路は、第１のコイル機構に第２の電流を供給するために第２の動作モードにおいてオンにされる。
【００１０】
本発明の他の好適な実施形態によれば、駆動手段は、少なくとも第１のコイル機構及び第２のコイル機構を有し、第１のコイル機構は、第１の動作モードにおいて電流を供給され、第２のコイルは、第２の動作モードにおいて電流を供給される。当業者であれば、駆動磁界の第１及び第２の周波数が、第１及び第２のコイル機構を通る異なるＡＣ電流によって有利に生成されることができることが分かるであろう。
【００１１】
本発明の更なる好適な実施形態によれば、機構は、第１の動作モードと第２の動作モードとの間の切り替えを行うスイッチを有し、これは、有利には、オペレータが動作モード間の変更をすばやく行うことを可能にする。制御ユニットは、例えば物理的なスイッチボタンを有することができ、又は概して、第１のモードと第２のモードとの間の切り替えを行う可能性を提供し、すなわち特にハードウェア又はソフトウェアによって可能にされる任意の具体化を有することができる。
【００１２】
本発明の更なる好適な実施形態によれば、受信手段は、第２の動作モードにおいてフィードバックモードで使用される受信コイルを有する。特に好適には、受信コイルは、作用領域に送信される効果的なパワーを評価するように構成される。
【００１３】
本発明によれば、第２の周波数は、第１の周波数、すなわち第１の周波数としての２５ｋＨｚの一般的なＭＰスキャニング周波数、の少なくとも２倍であり、第２の周波数は、約５０ｋＨｚ又はそれ以上であり、好適には５０ｋＨｚ乃至１０００ｋＨｚの間のレンジにある。温熱治療のための特に好適な周波数は、例えば少なくとも１００ｋＨｚであり、最も好適には約４００ｋＨｚである。好適な実施形態において、第２の周波数は、第１の周波数の少なくとも４倍であり、より好適には、第１の周波数の約１６倍である。
【００１４】
機構の勾配磁界は、例えば永久磁石によって生成されることができる。より大きな磁界強度の第２のサブゾーンによって囲まれる低い磁界強度の小さい第１のサブゾーンを有する不均一な磁界が、同じ極性の２つの極の間の領域に形成される。磁界強度がゼロであるポイント付近のゾーン、すなわち第１のサブゾーン、に位置する粒子においてのみ、磁化が飽和しない。このゾーンの外側にある粒子において、磁化は飽和状態にある。勾配磁界を切り替え可能に又は容易に調整可能にするために、永久磁石を有する機構ではなく、更なる好適な実施形態により、勾配コイル機構を有する選択手段が提供され、勾配コイル機構は、その方向を逆にするとともに第１のサブゾーンにゼロ交差を有する勾配磁界を、作用領域に生成する。有利には、この勾配磁界の特性は、上述の磁界と同様である。勾配コイル機構が、例えばターゲット領域の２つの側に配置され、電流が反対方向に流れる同じ種類の２つの巻線（Maxwellコイル）を有する場合、当該磁界は、巻線の軸に沿った或るポイントにおいてゼロであり、磁界強度は、このポイントの２つの側において、反対の極性で、実質的に直線的に増大する。
【００１５】
２つのサブゾーンの空間位置を変化させる１つの可能なやり方は、コイル及び／又は永久磁石機構（又はその一部）が、互いに対して移動されることである。これは、非常に小さい対象が非常に高い勾配（マイクロスコピー）で検査される場合、特に好ましい。対照的に、他の好適な実施形態によれば、作用領域の２つのサブゾーンが、勾配磁界に重ねられる時間的に可変な磁界によって位置をシフトされるので、機械的な移動が必要とされない。従って、この磁界が経時的に適切なパターンをたどり、適切に指向される場合、磁界のゼロポイントが、このようにして作用領域を有利に通ることができる。この場合、２つのサブゾーンの空間位置は、相対的にすばやく変化されることができ、これは、作用領域の磁化に依存する信号の取得に関して付加の利点を提供する。磁界のゼロポイントの移動と協働する磁化の変化は、好適には、検査ゾーンに生成される信号を受け取るために使用される受信コイルによって、検出されることができる。更に好適には、コイルは、この場合、検査ゾーンに磁界を生成するためにすでに使用されているコイルでもよい。しかしながら、受信用の別個の受信コイルを使用する利点もある。その理由は、このコイルが、時間的に可変な磁界を生成するコイル機構から切り離されることができ、このようにして信号の受信に関して最適化されることができるからである。更に、改善された信号対雑音比は、別個の受信コイルを用いて得られることが可能でありえるが、複数の受信コイルを用いることにより一層改善される。
【００１６】
上述の目的は更に、作用領域における磁性粒子に影響を与え及び／又は磁性粒子を検出する方法であって、
−低い磁界強度を有する第１のサブゾーン及びより高い磁界強度を有する第２のサブゾーンが作用領域に形成されるような、磁界強度の空間パターンを有する選択磁界を生成するステップと、
−作用領域における磁性粒子の磁化が局所的に変化するように、駆動磁界によって第１の周波数で作用領域における２つのサブゾーンの空間位置を変化させるステップと、
−第１及び第２のサブゾーンの空間位置の変化によって影響を与えられる作用領域における磁化に依存する信号を取得するステップと、
−作用領域における磁性粒子の空間分布に関する情報を得るために信号を解析するステップと、
−作用領域の少なくとも一部である加熱領域を規定するステップと、
−第１の周波数の少なくとも２倍の高さである第２の周波数で、作用領域における２つのサブゾーンの空間位置を変化させるステップと、
を含む方法によって達成される。
【００１７】
磁性粒子の局所的な加熱のために、磁界の２つのサブゾーンの空間位置は、連続的に変化される。方法の位置変化ステップにおいて生じることと同じように、これは、磁性粒子の空間分布に関する詳細が導き出されることができる信号を生成する。信号を取得するステップ及び信号を解析するステップが、加熱領域の加熱中にも付加的に実施されるようにして、これらの信号が取得される場合、空間分布に関する情報が、加熱中に同時に生成されることができる。
【００１８】
独国特許出願第１０２３８８５３号明細書に記述される磁性粒子が、例えば上述の機構及び方法において使用されることができる。
【００１９】
本発明のこれら及び他の見地は、以下に記述される実施形態から明らかであり、それらを参照して解明される。
【図面の簡単な説明】
【００２０】
【図１】本発明による機構の実施形態を概略的に示す図。
【図２】本発明による機構のコイル機構によって生成される磁力線のパターンを示す図。
【図３】作用領域に存在する磁性粒子を概略的に示す図。
【図４ａ】図３による粒子の磁化特性を示す図。
【図４ｂ】図３による粒子の磁化特性を示す図。
【図４ｃ】図３による粒子の磁化特性を示す図。
【図５】本発明による機構及び方法を説明するブロック回路図。
【発明を実施するための形態】
【００２１】
本発明は、具体的な実施形態に関して及び特定の図面を参照して記述されているが、本発明は、それに制限されず、請求項によってのみ制限される。記述される図面は、概略的であり、非制限的である。図面において、構成要素のいくつかの大きさは、説明の便宜上、誇張されていることがあるとともに一定の縮尺で描かれていない。
【００２２】
単数名詞に言及する際に「a」、「an」、「the」のような不定冠詞又は定冠詞が使用される場合、他のことが特に記述されない限り、これは、その名詞の複数を含む。
【００２３】
更に、明細書及び請求項における第１、第２、第３等の語は、同様の構成要素の間の区別を行うために使用されており、必ずしも順次の又は時間的な順序を記述するために使用されていない。そのように使用される語は、適当な環境下で交換可能であり、ここに記述される本発明の実施形態は、ここに記述されるもの以外のシーケンスで動作可能であることが理解されるべきである。
【００２４】
更に、記述及び請求項における上、下、上の、下の等の語は、説明的な目的で使用されており、必ずしも相対位置を記述するために使用されていない。このように使用される語は、適当な環境下で交換可能であり、ここに記述される本発明の実施形態は、ここに記述され又は図示されるもの以外の向きで動作可能であることが理解されるべきである。
【００２５】
本明細書及び請求項において使用される「含む、有する」なる語は、列挙される手段に制限されるものとして解釈されるべきでなく、他の構成要素又はステップを除外しないことが留意されるべきである。従って、「手段Ａ及びＢを有する装置」なる表現の範囲は、構成要素Ａ及びＢのみからなる装置に制限されるべきでなく、それは、本発明に関して、装置のただ関連する構成要素がＡ及びＢであることを意味する。
【００２６】
図１において、参照数字１は、この例では患者である、検査又は調査の対象をさす。患者は、患者提示テーブルに位置し、テーブルのプレート２の一部のみが示されている。例えば、消化管の検査の前に、磁性粒子を含む液体又は食べ物が、患者１に投与される。当業者であれば、検査されるべき器官又は身体の部分に依存して、磁性粒子が、血流に又は直接作用領域に注入されてもよいことが分かるであろう。
【００２７】
個々の磁性粒子が、図３に示されている。磁性粒子は、例えば軟磁性層１０１でコーティングされるガラスの球状基板１００を有し、軟磁性層１０１は、例えば鉄−ニッケル合金（例えばパーマロイ）で構成される。この層は、例えば粒子を酸から保護するコーティング層１０２によって被覆されることができる。このような粒子の磁化の飽和のために必要とされる磁界の強度は、粒子の直径に依存する。例えば１０μｍの直径の場合、１ｍＴの磁界が、この目的で必要とされ、１００μｍの直径の場合、１００ｍＴの磁界が必要とされる。より低い飽和磁化をもつ材料のコーティングが選択される場合、より小さい値が得られる。代替として、超常磁性鉄−酸化物ベースのコロイド（ＳＰＩＯ）と呼ばれる磁性粒子が、患者に投与されることができる。それらは、不定比性をもつ微結晶性の磁鉄鉱コアを含むタイプの磁気共鳴イメージング（ＭＲＩ）造影剤である。このような粒子の、そのコーティングを含む中央径は、５０ｎｍ及びそれ以上のオーダーである。
【００２８】
図４ａ、図４ｂ及び図４ｃは、このような粒子を含む分散において、磁界強度Ｈの関数としての磁化Ｍの変化を示す磁化特性を示す。磁化Ｍが、＋Ｈｃの磁界強度より高く、また−Ｈｃの磁界強度より低くは変化せず、これは、飽和磁化が存在することを示すことが分かるであろう。磁化は、値＋Ｈｃ及び−Ｈｃの間で飽和しない。
【００２９】
図４ａは、他の磁界がアクティブでない場合の正弦波磁界Ｈ（ｔ）の効果を示す。磁化は、第１の動作モードにおいて、磁界Ｈ（ｔ）の第１の周波数のリズムでその飽和値の間を往復する。結果として得られる磁化の時間的変化は、図４ａに参照符号Ｍ（ｔ）によって示されている。磁化は周期的に同じように変化し、それによって、同様の周期的な信号がコイルの外側に誘導されることを意味することが分かる。磁化特性の非線形性の結果として、この信号は、単なる正弦波の形ではなく、高調波、すなわち正弦基本波のより高い高調波、を含む。基本波から容易に切り離されることができるこれらの高調波は、粒子濃度の尺度である。
【００３０】
曲線の中心の線の破線部分は、磁界強度の関数として、磁化の近似中間変化を示す。この中心線からの偏りとして、磁化は、磁界Ｈが＋Ｈｃから−Ｈｃに増大するとき、僅かに右に延在し、磁界Ｈが＋Ｈｃから−Ｈｃに減少するとき、僅かに左に延在する。このヒステリシス効果は、熱の生成のために、更に有利に使用されることができる。曲線のパスの間で形成され、形状及びサイズが材料に依存するヒステリシス表面積は、磁化の変化に応じた熱生成の尺度である。
【００３１】
熱生成を増大するために、磁界Ｈ（ｔ）は、図４ｃに示される第２の動作モードにおいて、故意により高い第２の周波数で変化される。第２の周波数は、第１の周波数の少なくとも２倍の高さである。結果として得られる磁化の時間的変化は、図４ｃに参照符号Ｍ（ｔ）によって示されている。温熱治療の基本的な前提は、局所的加熱により、腫瘍が治療されることができることである。局所的加熱は、腫瘍細胞における又はその近傍における磁性ナノ粒子の存在により、実現されることができる。局所的な温度が４２℃を越える場合、最小加熱が、アポトーシスをもたらしうる。磁性ナノ粒子を使用する場合、特定のパワー損失は、磁界周波数及び振幅の関数である。熱生成は、２つの異なる現象の結果である。第１の現象は、磁性粒子内部の磁化の反転であり、第２の現象は、流体懸濁液中の磁性粒子の回転、すなわちその周囲に対する回転、である。温熱治療に使用される粒子サイズに関する一般的な値は、１０−２５ｎｍであり、すなわちこれは磁性コアを表わす。磁界の好適な第２の周波数は、約４００ｋＨｚであり、振幅は約１０ｋＡ／ｍである。温熱治療のための磁性ナノ粒子の投与オプションは、直接に腫瘍へ又は腫瘍を供給する血管へ粒子懸濁液を注入すること、及び腫瘍特異性抗体による標識化により又は不均一な磁界を使用する粒子ガイダンスによりアクティブであるいわゆる標的デリバリ、を含む。
【００３２】
図４ｂは、静磁界Ｈ１が重ねられる正弦波磁界Ｈ（ｔ）の効果を示している。磁化は飽和状態にあるので、それは正弦波磁界Ｈ（ｔ）によって実際に影響を及ぼされない。磁化Ｍ（ｔ）は、この領域において時間的に一定のままである。結果的に、磁界Ｈ（ｔ）は、磁化の状態の変化を引き起こさず、検出可能な信号を生じさせない。
【００３３】
本発明の実施形態の一例として、機構１０が、選択手段２１０を形成する複数のコイルを有する図２に示されており、選択手段２１０のレンジは、検査領域３００とも呼ばれる作用領域３００を規定する。例えば、選択手段２１０は、対象３５０の上及び下に配置される。例えば、選択手段２１０は、コイル２１０'、２１０''の第１の対を有し、各コイルは、２つの同様に構成される巻線２１０'及び２１０''を有し、巻線２１０'及び２１０''は、患者３５０の上及び下に同軸に配置され、特に反対方向の等しい電流を通される。第１のコイルペア２１０'、２１０''は、まとめて以下において選択手段２１０と呼ばれる。好適には、直流がこの例において使用される。選択手段２１０は、一般に図２において磁力線によって表現される勾配磁界である選択磁界２１１を生成する。選択磁界２１１は、選択手段２１０のコイル対の（例えば垂直）軸の方向において、実質的に一定の勾配を有し、この軸上のポイントにおいてゼロ値に達する。この磁界のないポイント（図２に個別に示さず）から始まって、磁界のないポイントからの距離が増大するにつれて、選択磁界２１１の磁界強度は、すべての３つの空間方向において増大する。磁界のないポイント周囲の破線によって示される第１のサブゾーン３０１又は領域３０１において、磁界強度は非常に小さいので、第１のサブゾーン３０１に存在する磁性粒子１００の磁化は飽和しないが、（領域３０１の外側の）第２のサブゾーン３０２に存在する磁性粒子１００の磁化は、飽和状態にある。作用領域３００の磁界のないポイント又は第１のサブゾーン３０１は、好適には空間的にコヒーレントな領域である。第１のサブゾーン３０１は更に、点状の領域又は他の場合には線状の又は平坦な領域でもよい。第２のサブゾーン３０２において（すなわち第１のサブゾーン３０１の外側の作用領域３００の残りの部分において）、磁界強度は、磁性粒子１００を飽和状態に保つために十分に強い。作用領域３００内の２つのサブゾーン３０１、３０２の位置を変化させることによって、作用領域３００の（全体的な）磁化が変化する。作用領域３００における磁化又は磁化によって影響を及ぼされる物理的パラメータを測定することによって、作用領域における磁性粒子１００の空間分布に関する情報が、得られることができる。
【００３４】
以下において駆動磁界２２１と呼ばれる他の磁界が、作用領域３００において選択磁界２１０（又は勾配磁界２１０）に重ねられるとき、第１のサブゾーン３０１は、この駆動磁界２２１の方向において、第２のサブゾーン３０２に対してシフトされる。このシフトの程度は、駆動磁界２２１の強度が増大すると、増大する。従って、重ねられる駆動磁界２２１が時間的に可変である場合、第１のサブゾーン３０１の位置が、それに応じて時間的及び空間的に変化する。駆動磁界２２１の変化の周波数帯域とは別の周波数帯域（より高い周波数にシフトされる）で、第１のサブゾーン３０１に位置する磁性粒子１００から信号を受け取り又は検出することが有利である。これは、駆動磁界２２１の周波数の高調波の周波数成分が、磁化特性の非線形性の結果として（すなわち飽和効果により）作用領域３００における磁性粒子１００の磁化の変化により生じるので、可能である。
【００３５】
任意の所与の空間方向において駆動磁界２２１を生成するために、３つの駆動コイル対、すなわち第１の駆動コイル対２２０'、第２の駆動コイル対２２０''及び第３の駆動コイルペア２２０'''、が提供され、これらは、まとめて以下において駆動手段２２０と呼ばれる。例えば、第１の駆動コイル対２２０'は、所与の方向に、すなわち例えば垂直方向に、延びる駆動磁界２２１の成分を生成する。このために、第１の駆動コイル対２２０'の巻線は、同じ方向の等しい電流によって通過される。２つの駆動コイル対２２０''、２２０'''が、異なる空間方向に、例えば作用領域３００（又は患者３５０）の長手方向及びそれに垂直な方向に水平に延びる駆動磁界２２１の成分を生成するために提供される。ヘルムホルツタイプの第２及び第３の駆動コイル対２２０''、２２０'''が、この目的で使用される場合、これらの駆動コイル対は、治療領域の左側及び右側に又はこの領域の前方及び後方にそれぞれ配置されなければならない。これは、作用領域３００又は治療領域３００へのアクセスしやすさに影響を与える。従って、第２及び／又は第３の磁界駆動コイル対又はコイル２２０''、２２０'''は、作用領域３００の上及び下にも配置され、従って、それらの巻線構造は、第１の駆動コイル対２２０'のものと異ならなければならない。しかしながら、この種類のコイルは、ラジオ周波数（ＲＦ）の駆動コイル対が治療領域の上及び下に位置し、前記ＲＦ駆動コイル対が水平な時間的に可変の磁界を生成することができるオープン磁石（オープンＭＲＩ）を有する磁気共鳴装置の分野から知られている。従って、このようなコイルの構造は、更に詳しく説明される必要がない。
【００３６】
本発明による機構１０は更に、図１に概略的にのみ示される受信手段２３０を有する。受信手段２３０は、通常、作用領域３００における磁性粒子１００の磁化パターンによって引き起こされる信号を検出することが可能であるコイルを有する。しかしながら、この種類のコイルは、例えばラジオ周波数（ＲＦ）コイル対が、可能な限り高い信号対雑音比を有するように作用領域３００の周囲に置かれる磁性共鳴装置の分野から知られている。従って、このようなコイルの構造は、ここに更に詳しく説明される必要がない。
【００３７】
図５において、ブロック回路図は、本発明による機構１０及び方法を示す。制御ユニット１１は、作用領域における粒子の分布を表す画像を表示するモニタを備えるワークステーション（図示せず）と協働することができる。入力は、キーボード又はなんらかの他の入力ユニットを介してユーザによって行われることができる。制御ユニット１１は、第１の動作モードに関する第１の回路１５及び第２の動作モードに関する第２の回路１６を有する。スキャナ１２は、第１のサブゾーン３０１及び第２のサブゾーン３０２（図２）が作用領域に形成されるような磁界強度の空間パターンを有する選択磁界を生成する選択手段２１０と、駆動磁界によって作用領域における２つのサブゾーン３０１、３０２の空間位置を変化させる駆動手段２２０と、作用領域における磁化に依存する信号を取得する受信手段２３０と、を有する。取得された信号は、制御ユニット１１にフィードバック１７を介して戻される。
【００３８】
選択手段２１０及び駆動手段２２０は、電流増幅器（図示せず）からそれらの電流を受け取ることができる。所望の磁界を生成する、増幅されるべき電流の時間的波形は、第１の動作モードにおいて波形発生器１８によってプリセットされ、第２の動作モードにおいて第２の波形発生器１９によってプリセットされる。第１及び第２の波形発生器１８、１９は、それぞれ第１又は第２の回路１５、１６によって制御され、第１又は第２の回路１５、１６は、特定の検査、調査又は治療プロシージャのために必要な時間的波形を計算する。第２の動作モードにおいて駆動手段２２０によって生成される駆動磁界の第２の周波数は、第１の動作モードにおける第１の周波数の少なくとも２倍の高さである。第１の動作モードにおいて、機構１０は、磁性粒子イメージング（ＭＰＩ）のために有利に適応され、第２のモードにおいて、温熱治療が適用されることができる。
【００３９】
本発明により、温熱治療が、ＭＰＩと有利に組み合わせられる。ＭＰＩは、有利には、静的なバックグラウンド磁界、すなわち加熱が局在化される磁界のないポイントを規定する選択磁界、の設計によって、局所的な加熱を提供し集束させるのに適している。更に、粒子の存在は、加熱の試みの前に及び／又はその間に及び／又はその後にイメージングされることができる（監視される）。ＭＰＩ及び温熱治療のための必要な磁界の振幅は、同等である。ＭＰＩが、本質的に、磁界のないポイントを生成するためにボリュメトリックな３Ｄアプローチを反映するのに対して、任意の付加的な温熱治療は、例えば温熱治療に専念する任意の特定のコイル組の付加又は再使用によって、一次元にのみ制限されることができる。
【００４０】
機構は、好適には、第１及び第２の動作モードの間の変更を行うスイッチ（図示せず）を備える。第２の動作モードにおいて、温熱治療は、第１の動作モードにおいてＭＰＩのために使用される第１の周波数と比較して相当高い第２の周波数で実行される。この目的のために、駆動手段２２０は、好適には、少なくとも第１の動作モード用の第１のコイル機構２２０'、２２０''、２２０'''及び第２のモード用の第２のコイル機構２２０ａを有する。代替として、好適には、付加の電流が、駆動手段２２０の単一の第１のコイル機構２２０'、２２０''、２２０'''に送られることもできる。専用の共振回路（図示せず）が、好適には、コイルに電力供給するために付加され、かかるコイルにおいて、付加の（交流）磁界が温熱治療のために生成される。受信手段２３０の受信コイルは、有利には、例えば、ＭＰＩイメージング中に先験的に規定された磁性粒子の局所的な濃度に基づいて治療中に送信される効果的なパワーを評価するために、第２の動作モードにおいてフィードバックモードで使用されることができる。
【００４１】
好適な第３の動作モードにおいて、選択された加熱領域は、第２の動作モードの場合と同様に正確に加熱される。作用領域の画像が同時に提供される。これは、第１のサブゾーン３０１が加熱中にもシフトされ、結果として、第１の動作モードの場合と同様に信号が生成され、かかる信号から、作用領域の画像が再構成され表示されることができるので、可能である。信号及び／又は画像は、例えば薬物動態学的効果により、温熱治療を、作用領域における磁性粒子の局所的な濃度の任意の時間的変化に適応させるために、オンラインで有利に解釈されることができる。
【図１】
2011505952.tif 000003
【図２】
2011505952.tif 000004
【図３】
2011505952.tif 000005
【図４ａ】
2011505952.tif 000006
【図４ｂ】
2011505952.tif 000007
【図４ｃ】
2011505952.tif 000008
【図５】
2011505952.tif 000009
【国際調査報告】
2011505952.tif 000010
2011505952.tif 000011
2011505952.tif 000012
2011505952.tif 000013